(57)【要約】【課題】手動による洗浄槽のロック操作が不要で使用勝手の良い食器洗い機を提供する。【解決手段】反転バネユニット５と位置検知スイッチユニット６を食器洗い機本体１の左右両側面に各１個ずつ配置し、反転バネユニット５に設けられ洗浄槽２の位置に応じて回動反転するアーム部５ｂで位置検知スイッチユニット６を直接動作させるようにし、ロックモータ７に近い側の位置検知スイッチユニット６を遠い側のそれより遅いタイミングで動作させるもので、洗浄槽２を食器洗い機本体１に収納するだけで洗浄槽２が拘束されると共に、ロックモータ７側を支点にして洗浄槽２が回動しても、誤動作して拘束が解除されることが無い。【選択図】図１
2008093085.tif 000002
【特許請求の範囲】
【請求項１】
前方に開口する略箱状の食器洗い機本体と、前記食器洗い機本体内に前後方向に移動自在に収納されかつ上方に開口部を有する洗浄槽と、前記洗浄槽を収納位置に付勢保持する付勢手段と、前記洗浄槽が前記収納位置にあるか否かを検知する位置検知手段と、前記位置検知手段の信号によって前記洗浄槽の移動を拘束する拘束手段とを備え、前記付勢手段と前記位置検知手段を前記食器洗い機本体の左右両側面に少なくとも各１個ずつ配置し、前記付勢手段は、前記洗浄槽の位置に応じて回動反転するアーム部を有し、前記アーム部で前記位置検知手段を直接動作させるようにし、前記食器洗い機本体の左右両側面に設けた前記位置検知手段の内、前記拘束手段に近い側の位置検知手段を遠い側の位置検知手段より遅いタイミングで動作させるようにした食器洗い機。
【請求項２】
食器洗い機本体の左右両側面に配置された位置検知手段の全てが検知動作しないと拘束手段が動作しないようにした請求項１に記載の食器洗い機。
【請求項３】
付勢手段および位置検知手段を、食器洗い機本体の内部後方に配置したことを特徴とする請求項１又は２に記載の食器洗い機。
【発明の詳細な説明】
【技術分野】
【０００１】
本発明は、洗浄ノズルより食器に向けて洗浄水を噴射して食器を洗浄する食器洗い機に関するもので、特に、ビルトインタイプの食器洗い機に関するものである。
【背景技術】
【０００２】
一般家庭へのシステムキッチンの普及に伴い、システムキッチンに組み込むためのビルトインタイプの食器洗い機が市販されている。
【０００３】
ビルトインタイプに適した従来の食器洗い機として、図６に示されるようなものがあった（例えば、特許文献１参照）。
【０００４】
図６は、上記特許文献１に記載された従来の食器洗い機の縦断面図である。
【０００５】
図６において、従来の食器洗い機は、食器２１を収納するための食器かご２２を内装する洗浄槽２３が、前面パネルを兼ねるドア２４とともに前方に引出し可能に構成され、洗浄槽２３を引き出した状態では、洗浄槽２３の上面が広く開口していて上から食器２１を出し入れできるようになっており、洗浄槽２３を筐体２５に押し入れるドア２４に配設されたロック用操作部２６を使用者が操作して洗浄槽２３を拘束するとともに筐体２５内の上部空間に待機していた上蓋２７が降下して洗浄槽２３の上面開口を閉塞する構造を有している。
【０００６】
洗浄槽２３内の洗浄水は、ヒータ２８によって温水化され、洗浄ポンプ２９にて残滓フィルター３０を通して排水口３１から吸い込まれ、洗浄ノズル３２に圧送される。洗浄ノズル３２より勢いよく噴射される洗浄水によって、食器かご２２に配置収容された食器２１を洗浄するように構成している。
【０００７】
また、前述した内容と同様の基本構成を備え、使用者によるロック操作動作を軽減するため、洗浄槽を本体ケース内に押し込まれた状態に自動的に保持する保持手段としてトグル機構を用い、このトグル機構に連動したスイッチのオン・オフでエアーポンプからパッキンに空気を供給して、パッキンの洗浄槽への加圧にて洗浄槽の拘束状態を維持するような食器洗い機もあった（例えば、特許文献２参照）。
【特許文献１】特開２０００−１３９７９９号公報
【特許文献２】特開２００２−２１９０８２号公報
【発明の開示】
【発明が解決しようとする課題】
【０００８】
しかしながら、上記特許文献１に記載されたような従来の引出し式の食器洗い機においては、いちいち前面パネルに配設されたロック用操作部を操作して洗浄槽を拘束しなければならず、非常に煩わしいものであり、老齢者が増えてきている昨今において確実な拘束操作ができないという課題があった。
【０００９】
また、上記特許文献２に記載された食器洗い機のように、トグル機構等を用いて、エアーポンプ加圧等で自動的に洗浄槽を拘束するようなものにあっては、部品点数の多い複雑な装置が必要となるうえ、洗浄槽の左右どちらかの一方のみに配置したトグル機構（保持手段）では、部品の寸法バラツキや左右不均等な力のかかり具合等により、スムーズに洗浄槽を保持することができないという課題もあったため、前記トグル機構を左右一対に配置し、その反転動作に洗浄槽を拘束させる手段のスイッチング動作を連動するべく取り組んできたが、片側に１セットのみの拘束手段配置による左右ガタに起因して、拘束中に洗浄槽を開けようとする力が働いた場合に意図せずして拘束が解除されるという課題があった。
【００１０】
本発明は、上記従来の課題を解決するもので、洗浄槽を食器洗い機本体に収納するだけで、洗浄槽の移動拘束が行なわれるようにして、使用者の労力を軽減すると共に、洗浄槽を左右均等にその収納位置で確実に保持でき、さらに、拘束中に、左右ガタ等により拘束が不用意に解除されることの無い食器洗い機を提供することを目的としている。
【課題を解決するための手段】
【００１１】
上記従来の課題を解決するために、本発明の食器洗い機は、前方に開口する略箱状の食器洗い機本体と、前記食器洗い機本体内に前後方向に移動自在に収納されかつ上方に開口部を有する洗浄槽と、前記洗浄槽を収納位置に付勢保持する付勢手段と、前記洗浄槽が前記収納位置にあるか否かを検知する位置検知手段と、前記位置検知手段の信号によって前記洗浄槽の移動を拘束する拘束手段とを備え、前記付勢手段と前記位置検知手段を前記食器洗い機本体の左右両側面に少なくとも各１個ずつ配置し、前記付勢手段は、前記洗浄槽の位置に応じて回動反転するアーム部を有し、前記アーム部で前記位置検知手段を直接動作させるようにし、前記食器洗い機本体の左右両側面に設けた前記位置検知手段の内、前記拘束手段に近い側の位置検知手段を遠い側の位置検知手段より遅いタイミングで動作させるようにしたもので、簡単な構成で、洗浄槽を食器洗い機本体に収納するだけで洗浄槽が拘束されるので、使用者の手動による洗浄槽の拘束動作を不要にし、食器洗い機本体の左右両側面に設けられた付勢手段により、洗浄槽を左右均等にその収納位置で確実に保持でき、さらに、洗浄槽が拘束されているときに、左右のガタなどで拘束手段側を支点にして洗浄槽が回動した場合でも、誤動作して拘束が解除されることが無く、安全性の高い食器洗い機を提供することができる。
【発明の効果】
【００１２】
本発明の食器洗い機は、簡単な構成で、洗浄槽を食器洗い機本体に収納するだけで洗浄槽が拘束されるので、使用者の手動による洗浄槽の拘束動作を不要にし、食器洗い機本体の左右両側面に設けられた付勢手段により、洗浄槽を左右均等にその収納位置で確実に保持でき、さらに、洗浄槽が拘束されているときに、左右のガタなどで拘束手段側を支点にして洗浄槽が回動した場合でも、誤動作して拘束が解除されることが無く、安全性の高いものである。
【発明を実施するための最良の形態】
【００１３】
第１の発明は、前方に開口する略箱状の食器洗い機本体と、前記食器洗い機本体内に前後方向に移動自在に収納されかつ上方に開口部を有する洗浄槽と、前記洗浄槽を収納位置に付勢保持する付勢手段と、前記洗浄槽が前記収納位置にあるか否かを検知する位置検知手段と、前記位置検知手段の信号によって前記洗浄槽の移動を拘束する拘束手段とを備え、前記付勢手段と前記位置検知手段を前記食器洗い機本体の左右両側面に少なくとも各１個ずつ配置し、前記付勢手段は、前記洗浄槽の位置に応じて回動反転するアーム部を有し、前記アーム部で前記位置検知手段を直接動作させるようにし、前記食器洗い機本体の左右両側面に設けた前記位置検知手段の内、前記拘束手段に近い側の位置検知手段を遠い側の位置検知手段より遅いタイミングで動作させるようにしたもので、簡単な構成で、洗浄槽を食器洗い機本体に収納するだけで洗浄槽が拘束されるので、使用者の手動による洗浄槽の拘束動作を不要にし、食器洗い機本体の左右両側面に設けられた付勢手段により、洗浄槽を左右均等にその収納位置で確実に保持でき、さらに、洗浄槽が拘束されているときに、左右のガタなどで拘束手段側を支点にして洗浄槽が回動した場合でも、誤動作して拘束が解除されることが無く、安全性の高い食器洗い機を提供することができる。
【００１４】
第２の発明は、特に、第１の発明の食器洗い機本体の左右両側面に配置された位置検知手段の全てが検知動作しないと拘束手段が動作しないようにしたもので、左右どちらかの位置検知手段が故障したり、あるいは部品不良等があった場合は、拘束手段が動作しないので、安全性を向上させることができる。
【００１５】
第３の発明は、特に、第１又は第２の発明の付勢手段および位置検知手段を、食器洗い機本体の内部後方に配置したもので、食器洗い機本体のサイズを不用意に大きくすることなく、食器洗い機本体内のスペースの有効活用ができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における食器洗い機の全体構成を示す概略縦断面図であり、洗浄槽を食器洗い機本体内に完全に収納した状態を示している。図２は、同食器洗い機の概略断面図で、食器洗い機本体の内側面に配置した付勢手段の配置位置を示している。図３は、同食器洗い機の概略断面図で、反転バネユニットを配置した位置での断面を示している。図４は、図２のＡ部の拡大断面図である。
【００１８】
図１〜４において、本実施の形態における食器洗い機は、前方に開口する略箱状に形成された食器洗い機本体１と、前記食器洗い機本体１の両側壁内側に略水平に架設された案内レール１ａに沿って前後方向に引き出し移動自在で、上方に開口部２ｆを有する洗浄槽２と、前記洗浄槽２の内部に設けられ、食器類１１を整列配置するための食器かご３と、食器類１１を洗浄する水を噴出する洗浄ノズル４を備えている。
【００１９】
洗浄槽２の前面には、システムキッチン（図示せず）と同様の意匠が施されたパネル２ａが装備され、前記パネル２ａには、洗浄槽２全体を開閉する際に使用者が掴む把手部２ｂと、食器洗い機の操作を行う操作スイッチ（洗浄の開始／一時停止の制御、図示せず）が具備されている。また洗浄槽２の後方両側面には、食器洗い機本体１の所定位置に洗浄槽２を誘導・保持する後述の付勢手段に係合するロッド２ｄが突出する形で具備されている。
【００２０】
食器洗い機本体１内の後方側面部には、洗浄槽２を所定の収納位置に誘導・保持する付勢手段となる反転バネユニット５と、洗浄槽２の収納位置を検知する位置検知手段となる位置検知スイッチユニット６が、一体的に締結固定されて、左右各々一対ずつ配置されている。
【００２１】
反転バネユニット５は、動力源となる反転バネ５ａと、前記洗浄槽２のロッド２ｄと係合して回動反転するアーム部５ｂを設置してなるケース部５ｃより構成されている。前記反転バネユニット５のケース部５ｃと一体締結される位置検知スイッチユニット６は、マイクロスイッチ６ａと、前記アーム部５ｂの先端部５ｂ−１で殴打されてマイクロスイッチ６ａのボタン６ａ−１を押し込む回動自在なるスイッチカム６ｂと、スイッチカム６ｂの復帰スプリング６ｃ等を配置するスイッチケース６ｄより構成されている。
【００２２】
７は、洗浄槽２が、所定位置に収納されたことを検知するマイクロスイッチ６ａからの信号により動作して洗浄槽２を移動拘束する拘束手段であるロックモータであり、図示しない複数枚の歯車によってモータの回転を減速し出力トルクを発生させる一般的な構成となっており、クラッチ機構を有して減速の最終段でラック＆ピニオンギアによって回転方向の動きが水平方向に変換され、ロックピン７ａがロックピンバネ（図示せず）の付勢力に抗して突出するようになっている。
【００２３】
なお、前述したように本実施の形態における食器洗い機は、位置検知手段である位置検知スイッチ６や、拘束手段であるロックモータ７を食器洗い機本体１内の後方に設置してあるので、従来の食器洗い機の前面のパネル部に必要不可欠であったドア開閉スイッチやその操作レバー部等を配置する必要がないため、一般的なキッチンの扉等に近い意匠が実現できることも追記しておく。
【００２４】
また、食器洗い機本体１の上方には、洗浄槽２の上方開口部２ｆを閉塞するための中蓋８が、前後一対のリンク８ａを含む左右一対の平行リンク機構により上下動自在に配置されている。前記洗浄槽２の下部には、水を吸入して洗浄ノズル４に吐出するポンプ９と、食器洗い機本体１の動作を制御する制御回路１０がそれぞれ設置されている。
【００２５】
なお、本実施の形態では、食器洗い機本体１の左右両側面に配置された位置検知スイッチユニット６の全てが検知動作しないとロックモータ７が動作しないようにしている。
【００２６】
次に上記構成による食器洗い機の動作について説明する。
【００２７】
使用者が食器類１１を食器かご３に配置し、洗浄槽２に収納して洗剤を入れて操作スイッチを押し、洗浄槽２を閉める。前記洗浄槽２は、案内レール１ａに沿って食器洗い機本体１内の奥まで収納される。このとき中蓋８の後端に設けた係止部８ｂが洗浄槽２の後壁の上端により押され、中蓋８は、中蓋ばね８ｃの付勢力に抗して後方向に移動する。この結果、リンク機構８ａにより、中蓋８は後方に、かつ下方に移動し、洗浄槽２の上方の開口部２ｆを閉塞する。
【００２８】
同時に洗浄槽２の後方両側面にあり食器洗い機本体１に向って突出したロッド２ｄが、反転バネユニット５のアーム部５ｂの溝５ｂ−２に係合して、アーム部５ｂが回動し始め、アーム部５ｂに連懸された反転バネ５ａが伸張して行き、死点を迎えると最大荷重を発揮してアーム部５ｂは、初期位置から約９０°近い位置まで回動し、洗浄槽２を食器洗い機本体１の内奥部の所定の収納位置で保持する。このときアーム部５ｂの先端部５ｂ−１が回動反転した瞬間、位置検知スイッチユニット６のスイッチカム６ｂのレバー部６ｂ−１を殴打し、スイッチカム６ｂが回動してその凸部６ｂ−２でマイクロスイッチ６ａのボタン６ａ−１を押し込み、マイクロスイッチ６ａ内のスイッチ接点（図示せず）が閉成されて、洗浄槽２を拘束すべくロックモータ７を動作させる信号を発する。
【００２９】
このように洗浄槽２を保持するための動作が、拘束させるための検知動作を兼ねているため、各々の機能に部品が必要なく簡素構成で実現できるわけである。その後、ロックモータ７は、モータが動作し歯車の回転によりロックピン７ａが突出して洗浄槽２後面に設けたロックピン嵌合部２ｅに嵌合挿入して洗浄槽２の動きを拘束する。
【００３０】
以上の動作は、食器洗い機本体１の後方両側面に配置された２個の反転バネユニット５の動作によって行われるため、洗浄槽２には、左右均等な荷重が加わり、部品の寸法バラツキ等に影響されない動きとなる。
【００３１】
また、以上の動作は、操作スイッチがあらかじめ押されている状態での説明であり、洗浄槽２を食器洗い機本体１内の所定位置に入れてから操作スイッチを動作させることも可能である。この場合は、反転バネユニット５による洗浄槽２の保持のみで待機している。
【００３２】
以上のように、本実施の形態によれば、使用者が洗浄槽を閉める動作を行なうだけで、洗浄槽の拘束が確実に行なわれ、また洗浄槽の誘導および保持が簡素な構成部品で行え、かつ寸法バラツキ等に影響されずスムーズに行える使い勝手の良いものである。
【００３３】
（実施の形態２）
図５は、本発明の第２の実施の形態における食器洗い機の動作を示す平面断面図である。なお、上記第１の実施の形態と同一部分については同一符号を付してその説明を省略する。
【００３４】
上記第１の実施の形態では、食器洗い機本体１の左右両側面に配置された反転バネユニット５と一体化された位置検知スイッチユニット６のスイッチカム６ｂは左右とも同じ部品を２個使用する前提で説明したが、拘束手段であるロックモータ７はコストの関係から１セットしか装備できず、また図示してない様々な他部品との配置の関係でロックモータ７が配置される位置は洗浄槽２の背面部の中心位置とは限らず、洗浄槽２の側面のどちらかに偏った位置となることが多い。
【００３５】
このような場合、洗浄槽２の拘束中に洗浄槽２を開けようとする力が働いた場合、図５に示すように、ロックモータ７のロックピン７ａが、洗浄槽２のロックピン嵌合部２ｅに嵌合挿入した位置を基点として反対方向に食器洗い機本体１と洗浄槽２のガタ分および各構成部材の弾性変形分（実測で３．０〜４．０ｍｍあり）だけ回動してしまい、ロックピン嵌合部２ｅのある側とは反対側に設置された位置検知スイッチユニット６のマイクロスイッチ６ａが開成してしまい意図せずして拘束が解除されるという問題があるため、本実施の形態では、図４に示すスイッチカム６ｂの凸部６ｂ−２の位置を一定量（本実施の形態では１４．５°）だけ反時計方向にずらし、ロックピン７ａのある側のマイクロスイッチ６ａに比べて、マイクロスイッチ６が早く入り、遅く切れるような設定としたものである（図５および表１参照）。
【００３６】
【表１】
2008093085.tif 000003
【００３７】
以上のように、本実施の形態によれば、洗浄槽２をその拘束中に開けようとする力が働いても、ロックしない側（ロックピン７から遠い側）に設置された位置検知スイッチユニット６が誤動作して開成しないようにすることができる。
【産業上の利用可能性】
【００３８】
以上のように、本発明にかかる食器洗い機は、簡単な構成で、洗浄槽を食器洗い機本体に収納するだけで洗浄槽が拘束されるので、使用者の手動による洗浄槽の拘束動作を不要にし、また、食器洗い機本体の左右両側面に設けられた付勢手段により、洗浄槽を左右均等にその収納位置で確実に保持でき、さらに、洗浄槽が拘束されているときに、左右のガタなどで拘束手段側を支点にして洗浄槽が回動した場合でも、誤動作して拘束が解除されることが無く、安全性の高いもので、家庭用の食器洗い機のみならず、業務用の食器洗い機としても有用である。
【図面の簡単な説明】
【００３９】
【図１】本発明の実施の形態１における食器洗い機の全体構成を示す概略縦断面図
【図２】同食器洗い機の概略断面図
【図３】同食器洗い機の概略断面図
【図４】同食器洗い機の反転バネユニットおよび位置検知スイッチユニットの拡大断面図
【図５】本発明の実施の形態２における食器洗い機の動作を示す平面断面図
【図６】従来の食器洗い機の縦断面図
【符号の説明】
【００４０】
１  食器洗い機本体
２  洗浄槽
５  反転バネユニット（付勢手段）
５ｂ  アーム部
６  位置検知スイッチユニット（位置検知手段）
７  ロックモータ（拘束手段）
【図１】
2008093085.tif 000004
【図２】
2008093085.tif 000005
【図３】
2008093085.tif 000006
【図４】
2008093085.tif 000007
【図５】
2008093085.tif 000008
【図６】
2008093085.tif 000009